(57)【要約】【課題】浴槽の湯の中に発生させた気泡の利用効果を向上できる入浴装置を提供する。【解決手段】入浴装置は、入浴者を載せる介護器具２０と、介護器具２０を分離可能に連結する連結部１４を有する浴槽１０と、流体を供給する供給部１８と、介護器具２０と浴槽１０との連結に伴い、介護器具２０と供給部１８とを流体的に接続する接続機構１７、２２２と、介護器具２０に含まれて、供給部１８から流体を供給されて気泡を発生させる気泡発生部２２と、を備える。【選択図】図１１
2017055955.tif 000002
【特許請求の範囲】
【請求項１】
入浴者を載せる介護器具と、
前記介護器具を分離可能に連結する連結部を有する浴槽と、
流体を供給する供給部と、
前記介護器具と前記浴槽との連結に伴い、前記介護器具と前記供給部とを流体的に接続する接続機構と、
前記介護器具に含まれて、前記供給部から流体を供給されて気泡を発生させる気泡発生部と、
を備えることを特徴とする入浴装置。
【請求項２】
前記介護器具は、当該介護器具に載せられる入浴者と対向する位置に設けられて前記気泡を噴出する噴出孔を備えることを特徴とする請求項１に記載の入浴装置。
【請求項３】
前記噴出孔は、入浴者が載せられる面に設けられていることを特徴とする請求項２に記載の入浴装置。
【請求項４】
前記介護器具は、
入浴者が載せられる本体部と、
前記本体部に取り付けられる前記気泡発生部と、
を備えることを特徴とする請求項１から３のいずれか１項に記載の入浴装置。
【請求項５】
前記本体部は、前記気泡を通過させるマット部材を含むことを特徴とする請求項４に記載の入浴装置。
【請求項６】
前記流体は、気体であることを特徴とする請求項１から５のいずれか１項に記載の入浴装置。
【請求項７】
前記流体は、マイクロバブルを含む水であることを特徴とする請求項１から５のいずれか１項に記載の入浴装置。
【請求項８】
前記介護器具は、入浴用担架であることを特徴とする請求項１から７のいずれか１項に記載の入浴装置。
【請求項９】
入浴者が載せられるとともに、浴槽に分離可能に連結される介護器具であって、
外部から流体を供給されて気泡を発生する気泡発生部を備え、
当該介護器具に載って前記浴槽の湯に浸かる入浴者に向けて前記気泡を噴出することを特徴とする介護器具。
【発明の詳細な説明】
【技術分野】
【０００１】
本発明は、入浴装置及び介護用具に関する。
【背景技術】
【０００２】
従来、介助者による介助が必要な者等を、担架や車椅子等の介護器具に載せた状態で入浴させる浴槽が知られている。このような浴槽の中には、浴槽に溜められた湯の中に気泡を発生させる構造を備えるものがある（例えば特許文献１や２参照）。
【０００３】
特許文献１の浴槽は、浴槽底面の下側に床面が形成されて二重底になっている。浴槽底面には、多数の小孔が設けられている。前記浴槽底面と前記床面との間に形成される隙間室内に空気発生器によって空気を送り込むと、浴槽の湯の中に気泡が生じる。なお、特許文献１の浴槽には、担架を昇降させる昇降台が備えられており、入浴者は担架に載せられた状態で浴槽内の湯に浸かることができる。
【０００４】
特許文献２の浴槽は、担架を載せる架台を備える。当該架台には、気泡盤が設けられている。気泡盤は、複数の通気孔が開設される上壁を備えるとともに、下部が開放された蓋様のものになっている。ブロアから気泡盤の下に空気を供給すると、浴槽の湯の中に気泡が生じる。なお、特許文献２の浴槽は架台に対して昇降し、入浴者は担架に載せられた状態で浴槽内の湯に浸かることができる。
【先行技術文献】
【特許文献】
【０００５】
【特許文献１】特開平１１−１６４８６８号公報
【特許文献２】特開２００７−５４２号公報
【発明の概要】
【発明が解決しようとする課題】
【０００６】
特許文献１や２の構成では、気泡の発生面が担架の下に存在する。このような構成では、気泡発生面から発生した気泡は、担架に邪魔されて人体に直接当たり難い。このために、浴槽の湯の中に発生させた気泡による、人体の洗浄効果や美容効果等を十分に得ることができないと考えられた。
【０００７】
以上の点に鑑みて、本発明の目的は、浴槽の湯の中に発生させた気泡の利用効果を向上できる入浴装置及び介護器具を提供することである。
【課題を解決するための手段】
【０００８】
上記目的を達成するために本発明の入浴装置は、入浴者を載せる介護器具と、前記介護器具を分離可能に連結する連結部を有する浴槽と、流体を供給する供給部と、前記介護器具と前記浴槽との連結に伴い、前記介護器具と前記供給部とを流体的に接続する接続機構と、前記介護器具に含まれて、前記供給部から流体を供給されて気泡を発生させる気泡発生部と、を備える構成（第１の構成）になっている。
【０００９】
本構成によれば、入浴者が載る介護器具（例えば担架）に気泡発生部が含まれている。このために、気泡発生部で発生させた気泡を直接入浴者の体に当て易い。すなわち、本構成によれば、湯の中で発生させた気泡による人体の洗浄効果や美容効果を得易い。
【００１０】
上記第１の構成の入浴装置において、前記介護器具は、当該介護器具に載せられる入浴者と対向する位置に設けられて前記気泡を噴出する噴出孔を備える構成（第２の構成）であるのが好ましい。本構成によれば、噴出孔から噴出された気泡を直接入浴者の体に当て易く、洗浄効果及び美容効果の向上を期待できる。
【００１１】
上記第２の構成の入浴装置において、前記噴出孔は、入浴者が載せられる面に設けられている構成（第３の構成）であるのが好ましい。本構成によれば、気泡発生部で発生した気泡を直接且つ短時間で入浴者の体に当てることができ、洗浄効果及び美容効果の向上を期待できる。
【００１２】
上記第１から第３のいずれかの構成の入浴装置において、前記介護器具は、入浴者が載せられる本体部と、前記本体部に取り付けられる前記気泡発生部と、を備える構成（第４の構成）であってよい。なお、気泡発生部は、本体部に一体的に設けられてもよい。
【００１３】
上記第４の構成の入浴装置において、前記本体部は、前記気泡を通過させるマット部材を含む構成（第５の構成）であるのが好ましい。本構成によれば、入浴者は快適に本体部に載ることができる。本構成においては、気泡を噴出する噴射孔を形成する貫通孔が、マット部材に設けられてよい。また、別の形態として、気泡を通過させ易い素材でマット部材を形成してもよい。
【００１４】
上記第１から第５のいずれかの構成の入浴装置において、前記流体は気体である構成（第６の構成）であってよい。気体の種類としては、例えば空気を選択できる。
【００１５】
上記第１から第５のいずれかの構成の入浴装置において、前記流体はマイクロバブルを含む水である構成（第７の構成）であってよい。微細な気泡（例えば５０μｍ以下）であるマイクロバブルを入浴者に直接当てることによって、洗浄及び美容効果の向上が期待できる。
【００１６】
上記第１から第７のいずれかの構成の入浴装置において、前記介護器具は入浴用担架である構成（第８の構成）であってよい。介護器具は、入浴用担架の代わりに、入浴用車椅子や、入浴用車椅子から分離可能な椅子部等であっても構わない。
【００１７】
また、上記目的を達成するために本発明の介護器具は、入浴者が載せられるとともに、浴槽に分離可能に連結される介護器具であって、外部から流体を供給されて気泡を発生する気泡発生部を備え、当該介護器具に載って前記浴槽の湯に浸かる入浴者に向けて前記気泡を噴出する構成（第９の構成）になっている。
【００１８】
本構成によれば、入浴者が載る介護器具（例えば担架）に気泡発生部が含まれている。このために、気泡発生部で発生させた気泡を直接入浴者の体に当て易い。すなわち、本構成によれば、湯の中で発生させた気泡による人体の洗浄効果や美容効果を得易い。
【発明の効果】
【００１９】
本発明によれば、浴槽の湯の中に発生させた気泡の利用効果を向上できる入浴装置及び介護器具を提供できる。
【図面の簡単な説明】
【００２０】
【図１】本発明の実施形態に係る入浴装置が備える浴槽の構成を示す概略上面図
【図２】本発明の実施形態に係る入浴装置が備える浴槽の構成を示す概略側面図
【図３】本発明の実施形態に係る入浴装置が備える入浴用担架の構成を示す概略上面図
【図４】本発明の実施形態に係る入浴装置が備える入浴用担架の構成を示す概略側面図
【図５】本発明の実施形態に係る入浴用担架が備える第１のフレーム部材の構成を示す概略上面図
【図６】本発明の実施形態に係る入浴用担架が備える第２のフレーム部材の構成を示す概略上面図
【図７】第１のフレーム部材と第２のフレーム部材との関係を説明するための模式図
【図８】第１のフレーム部材と浴槽本体部との関係を示す概略上面図
【図９】第２のフレーム部材と頭部パーツとの関係を示す概略上面図
【図１０】本発明の実施形態に係る入浴装置の使用例について説明するための概略上面図
【図１１】担架台と入浴用担架との関係を拡大して示した概略側面図
【図１２】本発明の実施形態に係る入浴装置が備える浴槽側カプラーと担架側カプラーの構成を説明するための概略図
【発明を実施するための形態】
【００２１】
以下、本発明の実施形態に係る入浴装置及び介護器具について、図面を参照しながら詳細に説明する。
【００２２】
図１は、本発明の実施形態に係る入浴装置が備える浴槽１０の構成を示す概略上面図である。図２は、本発明の実施形態に係る入浴装置が備える浴槽１０の構成を示す概略側面図である。なお、図２には、浴槽側面の一部が切り欠かれた図が示されており、当該切り欠かれた部分については内部構造が示されている。
【００２３】
図１及び図２に示すように、浴槽１０は、床Ｆ上に載置される架台１１と、湯が溜められる浴槽本体部１２とを備えている。架台１１には、上下方向（鉛直方向）に延びる支柱１３が立設されている。支柱１３は、浴槽本体部１２の底壁を液密に貫通している。浴槽本体部１２は、支柱１３に沿って昇降動する。浴槽本体部１２の昇降は、架台１１上に設けられる不図示の昇降手段によって行われる。当該昇降手段の構成は特に限定されるものではない。例えば、当該昇降手段は、Ｘリンク機構と昇降シリンダー（例えば油圧シリンダー）とを用いて構成できる。
【００２４】
支柱１３の上部には、上面視略矩形状の担架台１４が固設されている。担架台１４の長手方向（図１及び図２において左右方向）の両端部には、それぞれ、詳細は後述する担架（不図示）を移動可能に支持するためのレール１５が設けられている。各レール１５は、担架台１４の短手方向（図１において上下方向、図２において紙面と垂直な方向）に延在している。その他、担架台１４には、詳細は後述する浴槽側カプラー１７等が備えられている。なお、担架台１４は、本発明の「介護器具を分離可能に連結する連結部」の一例である。
【００２５】
架台１１には、気体（本例では空気）に圧力を与えて送り出す送風機１８が配置されている。また、送風機１８には、送風機１８から送り出された空気を浴槽側カプラー１７に導く通路１９が形成されている。通路１９は、例えば可撓性を有するチューブ、金属製パイプ、或いは、樹脂製パイプ等で構成される。通路１９の一部は、支柱１３内部に形成されている。
【００２６】
なお、送風機１８は、本発明の供給部の一例である。また、送風機１８は、架台１１上に限らず、浴槽本体部１２内や床面Ｆ上に設けられても構わない。浴槽本体部１２内に送風機１８を配置する場合には、浴槽本体部１２の昇降動を考慮に入れて通路１９を形成するチューブの長さを調節する必要がある。
【００２７】
その他、浴槽１０には、操作部１６が設けられる。操作部１６によって、例えば、浴槽本体部１２に溜める湯の量や温度を調節できる。また、操作部１６によって、例えば、浴槽本体部１２の昇降動に関する操作や、送風機１８の操作を行える。
【００２８】
図３は、本発明の実施形態に係る入浴装置が備える入浴用担架２０の構成を示す概略上面図である。図４は、本発明の実施形態に係る入浴装置が備える入浴用担架２０の構成を示す概略側面図である。なお、入浴用担架２０は、本発明の介護器具の一例である。
【００２９】
図３及び図４に示すように、入浴用担架２０は、介助者による介助が必要な入浴者（不図示）を載せる担架本体部２１を備える。担架本体部２１は、詳細には、３つのパーツ２１ａ〜２１ｃに分かれている。３つのパーツ２１ａ〜２１ｃは、担架本体部２１の下面側に配置されるフレーム部材２２（詳細は後述する）によって連結されている。担架本体部２１を構成する３つのパーツ２１ａ〜２１ｃは、例えば、樹脂をブロー成形することによって得られる。
【００３０】
なお、本実施形態のように、担架本体部２１を３つのパーツ２１ａ〜２１ｃで構成した場合、例えば、頭側のパーツ（頭部パーツ）２１ａや脚側のパーツ（脚部パーツ）２１ｃを、主に腰部が載せられるパーツ（中間パーツ）２１ｂに対して傾けることができる。ただし、これは例示にすぎず、担架本体部２１は、１つのパーツ、２つのパーツ、或いは、４つ以上のパーツで形成されても構わない。
【００３１】
担架本体部２１の上面には、クッション性を有するマット部材２３が配置される。マット部材２３には、複数の貫通孔２３１が形成されている。複数の貫通孔２１は、水がマット部材２３の厚み方向に通過できるように設けられている。なお、複数の貫通孔２３１のうちの一部は、後述の内容から明らかになるように、気泡の通路としても使用される。
【００３２】
入浴用担架２０は、担架本体部２１を挟むように配置される一対のサイドフェンス２７を備える。一対のサイドフェンス２７のそれぞれは、フレーム部材２２に回動可能に取り付けられている。サイドフェンス２７は、担架本体部２１に載った入浴者の脱落を防止するために設けられている。サイドフェンス２７は、起立状態（図３及び図４に示す状態）と、起立状態から外方に向けて９０°（或いはそれ以上）回動された倒れた状態とに切り換えられる。
【００３３】
その他、入浴用担架２０には、例えば、入浴者の頭を載せる枕２４、入浴者を固定するベルト２５や、入浴者がつかまる手すり２６等が設けられている。
【００３４】
図５は、本発明の実施形態に係る入浴用担架２０が備える第１のフレーム部材２２ａの構成を示す概略上面図である。なお、図５においては、理解を容易とするために、サイドフェンス２７も記載されている。図６は、本発明の実施形態に係る入浴用担架２０が備える第２のフレーム部材２２ｂの構成を示す概略上面図である。図７は、第１のフレーム部材２２ａと第２のフレーム部材２２ｂとの関係を説明するための模式図である。
【００３５】
第１のフレーム部材２２ａの上面側には、担架本体部２１を構成する中間パーツ２１ｂ及び脚部パーツ２１ｃが取り付けられる。各パーツ２１ｂ、２１ｃの第１のフレーム部材２２ａへの固定は、例えばネジ留めが利用される。なお、第１のフレーム部材２２ａの下面側には、浴槽１０の担架台１４に設けられるレール１５と係合するローラー部２２１（図４参照）等が設けられる。
【００３６】
第２のフレーム部材２２ｂには、頭部パーツ２１ａが取り付けられる。頭部パーツ２１ａの第２のフレーム部材２２ｂへの固定は、例えばネジ留めが利用される。第２のフレーム部材２２ｂは、第１のフレーム部材２２ａに対して回動可能に取り付けられる。このために、図７に示すように、頭部パーツ２１ａは、中間パーツ２１ｂに対して傾いた状態にできる。なお、図４に示す状態では、頭部パーツ２１ａは、中間パーツ２１ｂに対して殆ど傾いていない。また、第２のフレーム部材２２ｂの回動量は、適宜ストッパーが設けられることによって制限されている。
【００３７】
第１のフレーム部材２２ａには、浴槽１０に設けられる浴槽側カプラー１７と接続される担架側カプラー２２２が設けられている。浴槽側カプラー１７に担架側カプラー２２２が接続されると、入浴用担架２０と送風機１８とが流体的に接続される。これにより、送風機１８から入浴用担架２０に空気を供給することが可能になる。なお、浴槽側カプラー１７と担架側カプラー２２２とは、本発明の接続機構の一例である。
【００３８】
送風機１８から入浴用担架２０に送られてきた空気は、図５において破線矢印で示すように、第１フレーム部材２２ａ内に設けられる空洞を通って、小孔Ｈが設けられる３つのパイプ２２３に至る。パイプ２２３内に入った空気は、小孔Ｈを介して第１のフレーム部材２２ａの外に出る。
【００３９】
なお、本実施形態では、図７に示すように可撓性の連結チューブ２２４で、第１のフレーム部材２２ａと第２のフレーム部材２２ｂとが繋がれている。このために、送風機１８から入浴用担架２０に送られてきた空気は、図６に矢印で示すように、第２のフレーム部材２２ｂに含まれるＵ字パイプ２２５にも送られる。Ｕ字パイプ２２５には、小孔Ｈが形成されている。このために、Ｕ字パイプ２２５内に入った空気は、小孔Ｈを介して第２のフレーム部材２２ｂの外に出る。
【００４０】
図８は、第１のフレーム部材２２ａと、浴槽本体部２１との関係を示す概略上面図である。図８においては、位置関係を理解しやすいように、第１のフレーム部材２２ａの上面側に取り付けられる浴槽本体部２１は破線で示されている。また、図８に示す浴槽本体部２１には、マット部材２３は載置されていない。すなわち、浴槽本体部２１にも、マット部材２３と同様に、複数の貫通孔２１１が形成されている。なお、マット部材２３に設けられる複数の貫通孔２３１は、浴槽本体部２１に設けられる複数の貫通孔２１１と重なるように設けられている。
【００４１】
図８に示すように、中間パーツ２１ｂ及び脚部パーツ２１ｃに設けられる複数の貫通孔２１１の一部は、第１のフレーム部材２２ａを構成するパイプ２２３に設けられる小孔Ｈに重なるように設けられている。このために、パイプ２２３の小孔Ｈから噴出した気体（気泡）は、浴槽本体部２１を通過することができる。また、マット部材２３が浴槽本体部２１上に載置されている場合でも、マット部材２３に貫通孔２３１が設けられているために、小孔Ｈから噴出した気体（気泡）は、マット部材２３を通過することができる。
【００４２】
図９は、第２のフレーム部材２２ｂと、頭部パーツ２１ａとの関係を示す概略上面図である。図９においては、位置関係を理解しやすいように、第２のフレーム部材２２ｂの上面側に取り付けられる頭部パーツ２１ａは破線で示されている。また、図９においては、図８と同様に、マット部材２３は示されていない。頭部パーツ２１ａに設けられる貫通孔２１１と、マット部材２３に設けられる貫通孔２３１との位置関係は、図８における説明の通りである。
【００４３】
図９に示すように、頭部パーツ２１ａに設けられる複数の貫通孔２１１の一部は、第２のフレーム部材２２ｂを構成するＵ字パイプ２２５に設けられる小孔Ｈに重なるように設けられている。このために、Ｕ字パイプ２２５の小孔Ｈから噴出した気体は、頭部パーツ２１ａを通過することができる。また、マット部材２３が浴槽本体部２１上に載置されている場合でも、小孔Ｈから噴出した気体は、貫通孔２３１の存在によってマット部材２３を通過することができる。
【００４４】
なお、フレーム部材２２に設ける小孔Ｈの位置や数は、適宜変更可能である。小孔Ｈの位置や数が変更されても、小孔Ｈと重なるように貫通孔２１１、２３１が設けられていればよい。
【００４５】
図１０は、本発明の実施形態に係る入浴装置の使用例について説明するための概略上面図である。まず、入浴者（不図示）を載せた入浴用担架２０が台車３０に載せられる。そして、入浴用担架２０を載せた台車３０が、浴槽１０の長手方向の一の側面の所定位置に横付けされる。この際、台車３０は動かないように、浴槽１０に連結される。また、浴槽１０側のレール１５と、台車３０側のレール３１とは、位置（高さ位置及び長手方向の位置）が揃えられる。
【００４６】
この後、台車３０上の入浴用担架２０が、レール１５、３１に沿って動かされて、浴槽１０の担架台１４上に移される。すなわち、入浴用担架２０が浴槽１０に連結される。図１０は、台車３０から担架台１４への入浴用担架２０の移動が完了した状態を示している。図１０に示す状態で、操作部１６を操作して浴槽本体部１２を上昇させる。これにより、入浴用担架２０に載った入浴者は、浴槽本体部１２内に溜められた湯に浸かることができる。出浴（入浴が終了し、湯から出る）場合には、以上と逆の手順が行われる。入浴用担架２０は、担架台１４から台車３０に戻されることによって、浴槽１０から分離する。
【００４７】
図１１は、担架台１４と入浴用担架２０との関係を拡大して示した概略側面図である。図１１に示すように、本実施形態の入浴装置では、入浴用担架２０が担架台１４に移動されることによって、浴槽側カプラー１７と担架側カプラー２２２とが接続される。これにより、浴槽１０に設けられる送風機１８から、入浴用担架２０のフレーム部材２２に空気を供給できるようになる。
【００４８】
図１２は、本発明の実施形態に係る入浴装置が備える浴槽側カプラー１７と担架側カプラー２２２の構成を説明するための概略図である。図１２（ａ）は、入浴用担架２０が担架台１４に載せられていない場合の浴槽側カプラー１７の状態を示す。図１２（ｂ）は、入浴用担架２０が担架台１４に載せられて、浴槽側カプラー１７と担架側カプラー２２２とが接続された状態を示す。
【００４９】
浴槽側カプラー１７は、送風機１８から供給される空気の通路を形成するパイプ１９１と繋がる本体部１７１を備えている。本体部１７１は、その内部に、パイプ１９１の空洞と連通する空洞部１７１１を備えている。空洞部１７１１は、上部開口１７１２と連通している。空洞部１７１１には、圧縮バネ１７２が入れられている。また、空洞部１７１１には、圧縮バネ１７２によって上方に向けて付勢される可動部１７３の一部が入っている。
【００５０】
可動部１７３には、空気を通過させるための空洞１７３１が形成され、更に、上端部には開口１７３２が形成されている。本体部１７１の内側壁と、可動部１７３の外側壁との間にはシール部材１７４が配置されている。また、空洞部１７１１内には弁１７５が固定配置されている。弁１７５は、可動部１７３の上方への移動を規制するストッパーとしての機能も有する。
【００５１】
担架台１４に入浴用担架２０を載せるために、入浴用担架２０が外部から担架台１４に向けて押し込まれると、担架側カプラー２２２が可動部１７３と当接を開始し、可動部１７３は下方に向けて移動する。可動部１７３が下方に下がると、弁１７５によって空気の流れが遮断された状態が解消される。すなわち、パイプ１９１を介して本体部１７１内に入った空気が、可動部１７３の空洞１７３１及び開口１７３２を介して外部に抜ける状態になる。
【００５２】
可動部１７３の上端部の一部は、圧縮バネ１７２の付勢力によって担架側カプラー２２２の下部開口２２２１の周囲に押し付けられる。２つのカプラー１７、２２２の接触部から空気が漏れないように、可動部１７３の上端部は例えばゴム等の弾性部材で形成されている。このため、浴槽側カプラー１７を出た空気は担架側カプラー２２２に送られる。担架側カプラー２２２には、下部開口２２２１と連通する空洞２２２２が設けられる。当該空洞２２２２は、下部開口２２２１と別の位置に設けられて外部と繋がる孔（不図示）と連通している。当該孔を介して、フレーム部材２２の内部に空気を送り込むことができる。
【００５３】
以上からわかるように、担架台１４に入浴用担架２０が載せられた状態で、送風機１８から空気を送ると、浴槽側カプラー１７及び担架側カプラー２２２を介して入浴用担架２０のフレーム部材２２に空気を送り込むことができる。入浴用担架２０が浴槽本体部１２に溜められた湯に浸かった状態でフレーム部材２２に空気が送り込まれると、当該空気は、フレーム部材２２に設けられる小孔Ｈから気泡となって湯に拡散される。すなわち、フレーム部材２２は、本発明の気泡発生部として機能する。
【００５４】
フレーム部材２２の小孔Ｈから発生した気泡は、担架本体部２１の貫通孔２１１の一部及びマット部材２３の貫通孔２３１の一部を通過して、入浴用担架２０に載る入浴者に向けて噴出される。すなわち、小孔Ｈ、及び、貫通孔２１１、２３１の一部は、本発明の噴出孔として機能する。本実施形態では、フレーム部材２２で発生した気泡の多くは、途中、障害物に邪魔されずに直接入浴者に当たる。このために、気泡による入浴者の洗浄効果や美容効果を高めることができる。
【００５５】
また、本実施形態では、入浴者が載せられる面（マット上面）から気泡を噴出させる構成である。このために、気泡発生部２２から発生した気泡を短い移動距離（短時間）で入浴者に当てることができる。このために、気泡を発生させるために使用される送風機１８（ポンプ）の小型化が望める。
【００５６】
また、本実施形態では、入浴用担架２０が浴槽１０と連結されていない（担架台１４に載せられていない）場合には、担架側カプラー２２２の下部開口２２２１からフレーム部材２２に入った水を抜くことも可能である。また、気泡発生部２２を入浴用担架２０に設けて、浴槽本体部１２に設けない構成であるために、湯を溜める部分の清掃性が悪くならない。
【００５７】
以上に示した実施形態は、本発明の例示にすぎない。以上に示した実施形態の構成は、本発明の技術的思想を超えない範囲で適宜変更されて構わない。
【００５８】
例えば、以上に示した実施形態では、入浴用担架２０に気体（一例として空気）を送る構成とした。しかし、本発明はこの構成に限定されるものではない。例えば、浴槽１０側においてマイクロバブルを発生させる装置を設けて、マイクロバブルを含む水がカプラー１７、２２２を介して入浴用担架２０に供給されるようにしてもよい。このような構成でも、入浴用担架２０から気泡（マイクロバブル）を噴出させて、直接入浴者に当てることができる。マイクロバブルを噴出させる構成では、例えば入浴者の毛穴にまで気泡が入ることが期待でき、洗浄及び美容効果が更に高まることが期待できる。
【００５９】
また、以上に示した実施形態では、担架本体部２１にマット部材２３が配置される構成としたが、これは例示にすぎない。場合によっては、マット部材２３は備えられなくてもよい。この場合には、フレーム部材２２の小孔Ｈ、及び、担架本体部２１の貫通孔２１１の一部が、本発明の噴出孔として機能する。
【００６０】
また、以上に示した実施形態では、マット部材２３に貫通孔２３１を設ける構成としたが、これも例示にすぎない。マット部材２３が水や気泡が通り易い部材で構成される場合には、マット部材２３には、貫通孔２３１が形成されなくてもよい。
【００６１】
また、以上に示した実施形態では、気泡発生部２２が担架本体部２１とは別に設けられる構成とした。しかし、これは、例示にすぎない。場合によっては、担架本体部２１に気泡発生部としての機能を持たせてもよい。この場合、担架本体部２１に小孔が形成されることになる。
【００６２】
また、以上に示した実施形態では、気泡を噴出する噴出孔を入浴者が載せられる面に設ける構成とした。しかし、これは一例にすぎない。気泡を噴出する噴出孔は、入浴用担架２０に載せられる入浴者と対向する位置に設けられるのが好ましく、例えば、サイドフェンス２７等に設けられても構わない。
【００６３】
また、以上に示した実施形態では、入浴装置が備える浴槽１０は、浴槽本体部１２が昇降する構成とした。しかし、これは例示にすぎず、担架台１４が昇降する構成等でもよい。
【００６４】
また、以上においては、担架が浴槽に分離可能に連結される仰臥浴装置に、本発明が適用される場合を示した。しかし、これは例示にすぎない。本発明は、例えば、入浴用車椅子や椅子部（入浴用車椅子から分離可能な椅子部分）が浴槽に分離可能に連結される座浴装置等に適用されても構わない。この場合には、車椅子や椅子部から気泡が噴出される構成になる。
【符号の説明】
【００６５】
１０    浴槽
１４    担架台（連結部）
１７    浴槽側カプラー（接続機構）
１８    送風機（供給部）
２０    入浴用担架（介護器具）
２１    担架本体部
２２ａ  第１のフレーム部材（気泡発生部）
２２ｂ  第２のフレーム部材（気泡発生部）
２３    マット部材
２１１  貫通孔
２２２  担架側カプラー（接続機構）
２３１  貫通孔
Ｈ      小孔
【図１】
2017055955.tif 000003
【図２】
2017055955.tif 000004
【図３】
2017055955.tif 000005
【図４】
2017055955.tif 000006
【図５】
2017055955.tif 000007
【図６】
2017055955.tif 000008
【図７】
2017055955.tif 000009
【図８】
2017055955.tif 000010
【図９】
2017055955.tif 000011
【図１０】
2017055955.tif 000012
【図１１】
2017055955.tif 000013
【図１２】
2017055955.tif 000014